(57)【要約】【課題】  陳列部に低コストかつ簡単な構成で容易に取り付けることができるダミー体を提供する。【解決手段】  ハーフ型のダミー体の背部に嵌合可能であって正面の横幅Ｗ１、縦幅Ｗ２であるブロック状のアダプタ本体の正面側に第１のアダプタ部２を設け、その反対側に同一幅の第２のアダプタ部を設けてあり、第１のアダプタ部は正面の中央面部２１を挟んで左右両側に角調整部２２を張り出してあると共に、角形のダミー体の背部に嵌合可能であり、上記第２のアダプタ部はアダプタ本体の正面と対向する側に上記一面と反対側へ膨出された平面円弧状の膨出面部を形成しかつ平面半円形のダミー体の背部に嵌合可能であり、第３のアダプタ部４は中央面部２１を挟んで上下両側に角調整部４１を形成しかつ上記角形のダミー体とは別の角形のダミー体の背部に嵌合可能である。【選択図】        図１
2005339125.tif 000002
【特許請求の範囲】
【請求項１】
ハーフ型のダミー体の背部に嵌合可能であるアダプタ本体と、このアダプタ本体に設けてある少なくとも２種類の第１及び第２のアダプタ部とを具備しており、
上記第１のアダプタ部は、上記アダプタ本体の一面側に配置されており、中央面部を挟んで両側に角調整部を形成しかつ角形のダミー体の背部に嵌合可能であり、
上記第２のアダプタ部は、上記アダプタ本体の一面と対向する側に上記一面と反対側へ膨出された平面円弧状の膨出面部を形成しかつ平面半円形のダミー体の背部に嵌合可能である
ことを特徴とする自動販売機用のダミー体のホルダ用アダプタ。
【請求項２】
アダプタ本体に第３のアダプタ部を設けてあり、この第３のアダプタ部は中央面部を挟んで角調整部とは直交する方向の両側に角調整部を形成してかつ角形のダミー体とは別の角形のダミー体の背部に嵌合可能であり、第１のアダプタ部と上記第３のアダプタ部とのそれぞれの幅が互いに異なることを特徴とする請求項１記載の自動販売機用のダミー体のホルダ用アダプタ。
【請求項３】
アダプタ本体に第３のアダプタ部及び第４のアダプタ部を設けてあり、上記第３のアダプタ部は中央面部を挟んで角調整部とは直交する方向の両側に角調整部を形成してかつ角形のダミー体とは別の角形のダミー体の背部に嵌合可能であり、上記第１のアダプタ部と上記第３のアダプタ部とはそれぞれの幅が互いに異なっており、上記第４のアダプタ部は上記第２のアダプタ部と同じ側に配置されていると共に第１のアダプタ部とは反対側へ膨出されかつ膨出面部の一部を形成している調整膨出面部を設けてありかつ平面半円形のダミー体とは別の平面半円形のダミー体の背部に嵌合可能であることを特徴とする請求項１記載の自動販売機用のダミー体のホルダ用アダプタ。
【請求項４】
アダプタ本体はほぼ直方体のブロック形に形成されていることを特徴とする請求項１、請求項２又は請求項３記載の自動販売機用のダミー体のホルダ用アダプタ。
【請求項５】
ハーフ型のダミー体の背部に嵌合可能であるアダプタ本体と、このアダプタ本体に設けてある少なくとも２種類の第１及び第２のアダプタ部とを具備しており、
上記第１のアダプタ部は、上記アダプタ本体の一面側に配置されており、中央面部を挟んで左右両側に角調整部を形成しかつ角形のダミー体の背部に嵌合可能であり、
上記第２のアダプタ部は、上記中央面部を挟んで上下両側に角調整部を形成しかつ上記角形のダミー体とは別の角形のダミー体の背部に嵌合可能であり、
上記第１のアダプタ部と第３のアダプタ部とのそれぞれの幅が互いに異なる
ことを特徴とする自動販売機用のダミー体のホルダ用アダプタ。
【請求項６】
アダプタ本体に第３のアダプタ部を設けてあり、この第３のアダプタ部は、上記アダプタ本体の一面と対向する側に上記一面と反対側へ膨出された平面円弧状の膨出面部を形成しかつ平面半円形のダミー体の背部に嵌合可能であることを特徴とする請求項５記載の自動販売機用のダミー体のホルダ用アダプタ。
【請求項７】
アダプタ本体はほぼ直方体のブロック形に形成されていることを特徴とする請求項５又は請求項６記載の自動販売機用のダミー体のホルダ用アダプタ。
【請求項８】
ハーフ型のダミー体の背部に嵌合可能であるアダプタ本体と、このアダプタ本体に設けてある少なくとも２種類の第１及び第２のアダプタ部とを具備しており、
上記第１のアダプタ部は、上記アダプタ本体の一面側に配置されており、上記一面と反対側の他面側を背にして膨出された平面円弧状の膨出面部を形成しかつ平面半円形のダミー体の背部に嵌合可能であり、
上記第２のアダプタ部は上記膨出面部を挟んで両側に上記膨出面部と同じ方向に膨出されかつ上記膨出面部の一部を形成している調整膨出面部を設けていると共に上記平面半円形のダミー体とは別の平面半円形のダミー体の背部に嵌合可能であり、
上記第１のアダプタ部と第２のアダプタ部とのそれぞれの幅が互いに異なる
ことを特徴とする自動販売機用のダミー体のホルダ用アダプタ。
【請求項９】
アダプタ本体に第３のアダプタ部を設けてあり、この第３のアダプタ部は、上記アダプタ本体の一面と対向する側に中央面部とこの中央面部を挟んで両側に角調整部を設けてあり、角調整部は調整膨出面部と対向する位置に配置されており、角形のダミー体の背部に嵌合可能であることを特徴とする請求項８記載の自動販売機用のダミー体のホルダ用アダプタ。
【請求項１０】
アダプタ本体に第３のアダプタ部を設けてあり、この第３のアダプタ部は、上記アダプタ本体の一面と対向する側に中央面部とこの中央面部を挟んで角調整部と直交する方向の両側に角調整部を設けてあって角形のダミー体の背部に嵌合可能であることを特徴とする請求項８記載の自動販売機用のダミー体のホルダ用アダプタ。
【請求項１１】
アダプタ本体はほぼ直方体のブロック形に形成されていることを特徴とする請求項８、請求項９又は請求項１０記載の自動販売機用のダミー体のホルダ用アダプタ。
【発明の詳細な説明】
【技術分野】
【０００１】
本発明は自動販売機用のダミー体のホルダ用アダプタに関するものである。
【背景技術】
【０００２】
従来の自動販売機用のダミー体の種類としては、例えば特開平６−２５９６４９号公報及び特開平９−２８２５４０号公報記載の各商品見本のように本物と同様の丸缶型のものと、特開２００２−３０４６５９号公報記載のダミー体のような水平断面が円形又はほぼ円形のいわゆるハーフ型（半割り型）とが知られている。図１７にも従来のハーフ型のダミー体Ｄ１，Ｄ２，Ｄ３を示している。図１７（Ａ）に示すダミー体Ｄ１は角形のボトル型であり、同図（Ｂ）に示すダミー体Ｄ２は缶型であり、同図（Ｃ）に示すダミー体Ｄ３は半円形の瓶型である。いずれのタイプのダミー体Ｄ１，Ｄ２，Ｄ３も自動販売機の陳列部の台板上に取付け手段によって起立状態に保持される。
従来のダミー体の取付け方法として、例えば上記特開平６−２５９６４９号公報及び特開平９−２８２５４０号公報記載の各商品見本においては、ばね板により円弧状に形成された左右一対のホルダ（又はアーム）に抱き込まれるように保持されるという保持ばねにより陳列部に固定されるものである。そして特開２００２−３０４６５９号公報記載のダミー体では、底部を台座の開口部に対して係合手段を介して着脱自在し保持される。さらに、ハーフ型のダミー体の他の例として、ダミー体内に半円柱状のホルダを嵌め込んだ状態で、外側から保持ばねにより陳列部に固定するものがある。
【特許文献１】特開平６−２５９６４９号公報
【特許文献２】特開平９−２８２５４０号公報
【特許文献３】特開２００２−３０４６５９号公報
【発明の開示】
【発明が解決しようとする課題】
【０００３】
ダミー体を半円柱状のホルダを嵌め込んでクリックばねで保持する従来例によると、次のような不都合がある。
ダミー体は、例えばダミー体の水平断面が半円形のもの、半六角形のもの、内径が長いもの（ダミー体が太いもの）、内径が短いもの（ダミー体が細いもの）など多種類あるために、種類の異なるダミー体毎に半円柱状のホルダを準備することは、製造コストがかかり、取付け時にホルダを選択する手間がかかるなどの欠点がある。
本発明の目的は、陳列部に低コストかつ簡単な構成で容易に取り付けることができるダミー体を提供することにある。
【課題を解決するための手段】
【０００４】
本発明の第１の特徴は、ハーフ型のダミー体の背部に嵌合可能であるアダプタ本体と、このアダプタ本体に設けてある少なくとも２種類の第１及び第２のアダプタ部とを具備し、上記第１のアダプタ部は、上記アダプタ本体の一面側に配置されており、中央面部を挟んで両側に角調整部を張り出してありかつ角形のダミー体の背部に嵌合可能であり、上記第２のアダプタ部は、上記アダプタ本体の一面と対向する側に上記一面と反対側へ膨出された平面円弧状の膨出面部を形成しかつ平面半円形のダミー体の背部に嵌合可能であることにある。
本発明の第２の特徴は、上記第１の特徴を前提として、アダプタ本体に第３のアダプタ部を設けてあり、この第３のアダプタ部は中央面部を挟んで角調整部とは直交する方向の両側に角調整部を形成してかつ角形のダミー体とは別の角形のダミー体の背部に嵌合可能であり、第１のアダプタ部と上記第３のアダプタ部とのそれぞれの幅が互いに異なることにある。
本発明の第３の特徴は、上記第１の特徴を前提として、アダプタ本体に第３のアダプタ部及び第４のアダプタ部を設けてあり、上記第３のアダプタ部は中央面部を挟んで角調整部とは直交する方向の両側に角調整部を形成してかつ角形のダミー体とは別の角形のダミー体の背部に嵌合可能であり、上記第１のアダプタ部と上記第３のアダプタ部とはそれぞれの幅が互いに異なっており、上記第４のアダプタ部は上記第２のアダプタ部と同じ側に配置されていると共に第１のアダプタ部とは反対側へ膨出されかつ膨出面部の一部を形成している調整膨出面部を設けてありかつ平面半円形のダミー体とは別の平面半円形のダミー体の背部に嵌合可能であることにある。
本発明の第４の特徴は、上記第１、第２又は第３の特徴を前提として、アダプタ本体はほぼ直方体のブロック形に形成されていることにある。
本発明の第５の特徴は、ハーフ型のダミー体の背部に嵌合可能であるアダプタ本体と、このアダプタ本体に設けてある少なくとも２種類の第１及び第２のアダプタ部とを具備しており、上記第１のアダプタ部は、上記アダプタ本体の一面側に配置されており、中央面部を挟んで左右両側に角調整部を形成しかつ角形のダミー体の背部に嵌合可能であり、上記第２のアダプタ部は、上記中央面部を挟んで上下両側に角調整部を形成しかつ上記角形のダミー体とは別の角形のダミー体の背部に嵌合可能であり、上記第１のアダプタ部と第３のアダプタ部とのそれぞれの幅が互いに異なることにある。
本発明の第６の特徴は、上記第５の特徴を前提として、アダプタ本体に第３のアダプタ部を設けてあり、この第３のアダプタ部は、上記アダプタ本体の一面と対向する側に上記一面と反対側へ膨出された平面円弧状の膨出面部を形成しかつ平面半円形のダミー体の背部に嵌合可能であることにある。
本発明の第７の特徴は、上記第５又は第６の特徴を前提として、アダプタ本体はほぼ直方体のブロック形に形成されていることにある。
本発明の第８の特徴は、ハーフ型のダミー体の背部に嵌合可能であるアダプタ本体と、このアダプタ本体に設けてある少なくとも２種類の第１及び第２のアダプタ部とを具備しており、上記第１のアダプタ部は、上記アダプタ本体の一面側に配置されており、上記一面と反対側の他面側を背にして膨出された平面円弧状の膨出面部を形成しかつ平面半円形のダミー体の背部に嵌合可能であり、上記第２のアダプタ部は上記膨出面部を挟んで両側に上記膨出面部と同じ方向に膨出されかつ上記膨出面部の一部を形成している調整膨出面部を設けていると共に上記平面半円形のダミー体とは別の平面半円形のダミー体の背部に嵌合可能であり、上記第１のアダプタ部と第２のアダプタ部とのそれぞれの幅が互いに異なることにある。
本発明の第９の特徴は、上記第８の特徴を前提として、アダプタ本体に第３のアダプタ部を設けてあり、この第３のアダプタ部は、上記アダプタ本体の一面と対向する側に中央面部とこの中央面部を挟んで両側に角調整部を設けてあり、角調整部は調整膨出面部と対向する位置に配置されており、角形のダミー体の背部に嵌合可能であることにある。
本発明の第１０の特徴は、上記第８の特徴を前提として、アダプタ本体に第３のアダプタ部を設けてあり、この第３のアダプタ部は、上記アダプタ本体の一面と対向する側に中央面部とこの中央面部を挟んで角調整部と直交する方向の両側に角調整部を設けてあって角形のダミー体の背部に嵌合可能であることにある。
本発明の第１１の特徴は、上記第８、第９又は第１０の特徴を前提として、アダプタ本体はほぼ直方体のブロック形に形成されていることにある。
【発明の効果】
【０００５】
本発明によれば、一種類のアダプタで多種類のハーフ型のダミー体に対応することができるので、低コストかつ簡単な構成で多種類のダミー体を保持することができる。
【発明を実施するための最良の形態】
【０００６】
図１〜図４に示すダミー体のホルダ用アダプタは、アダプタ本体１と、このアダプタ本体の異なる面に設けてある４種類のアダプタ部（第１のアダプタ部２、第２のアダプタ部３、第３のアダプタ部４、第４のアダプタ部５）を具備している。
【０００７】
図１、図２及び図５〜図８において、アダプタ本体１はプラスチックによって中空のブロック状に成形されている。アダプタ本体１の図１正面における横方向の幅Ｗ１は縦方向の幅Ｗ２より広い直方体を形成している。
【０００８】
第１乃至第４のアダプタ部２，３，４，５を説明する。
第１のアダプタ部２は、図１、図２及び図６〜図７に示すようにアダプタ本体１の正面前半部分に形成されている。第２のアダプタ部３は、図２、図３及び図８に示すようにアダプタ本体１の正面後半部分に形成されている。第３のアダプタ部４は、アダプタ本体１を図１の位置から反転（９０度回転）させた状態、すなわち図９に示す状態における正面前半部分に形成されている。第４のアダプタ部５は、図１０に示すようにアダプタ本体１の正面後半部分に形成されている。
【０００９】
第１乃至第４のアダプタ部２〜５について具体的に説明する。
第１のアダプタ部２は、図１、図２及び図６に示すようにアダプタ本体１の正面中央部に形成された中央面部２１とその両側に配置されている角調整部２２とを備えている。外側に張り出された両角調整部２２は、その前面が後方（図２上方）に傾斜されているために、第１のアダプタ部２の平面形状が溝形となる。
第１のアダプタ部２は、後述するが、図２鎖線に示すように水平断面がほぼ溝形すなわち両側に角を有する角形のダミー体Ｄ１内に嵌め込んでダミー体の位置保持をするものである。
中央面部２１には文字からなるマーク２１ａと矢印のマーク２１ｂを付してあり、図１のマーク２１ａとして角形のダミー体Ｄ１に適用するための目印となる文字「角用」が使用されている。
【００１０】
第２のアダプタ部３は、図２及び図６に示すようにアダプタ本体１の背面において第１のアダプタ部２の幅Ｗ１（図１）と同じ幅で第１のアダプタ部２と連続している。第２のアダプタ部３は、図３及び図８に示すように背面から見て横長長方形であって、背面側に膨出されたほぼ球面状の膨出面部３１が形成されているために（図２及び図４）、第２のアダプタ部３の平面形状が円弧形である。
第２のアダプタ部３は、後述するが、図１１に示すように水平断面がほぼ半円形のダミー体Ｄ２内に嵌め込んでダミー体の位置保持をするものである。
膨出面部３１には図３に示すように文字マーク３１ａと矢印マーク３１ｂを付してあり、図では半円形のダミー体Ｄ２に適用するための目印として「太用」としたマーク３１ａが付されている。
【００１１】
第３のアダプタ部４は、第１のアダプタ部２を図１及び図２に示す位置から反転させて（図１の位置から９０度反時計方向に回転させて）使用するものであり、第３のアダプタ部４は、第１のアダプタ部２の幅Ｗ１より狭い幅Ｗ２（図１）を有している。図９、図１０及び図１２に示すように、第３のアダプタ部４は、正面中央部が第１のアダプタ部２の中央面部２１を兼用しており、この中央面部の両側すなわち図９の左右（図１及び図５の上下）両側に張り出された角調整部４１を配置してある。両角調整部４１は、図４及び図５に示すように後方に向けて上昇する方向に傾斜されている。このため、平面形状が溝形の第３のアダプタ部４は、図１２に示すように角形のダミー体Ｄ４内に嵌め込んでダミー体の位置保持をするものである。
角調整部４１には文字マーク４１ａ及び矢印マーク４１ｂを付してあり、図１０では溝形のダミー体Ｄ４に適用するための目印として「細用」とする文字マークが付されている。
【００１２】
第４のアダプタ部５は、第３のアダプタ部４と同様に、第１のアダプタ部２を図１に示す位置から反時計方向に９０度回転させて使用するものである。第４のアダプタ部５は、図１０及び図１３に示すようにアダプタ本体１の背面において第３のアダプタ部４の幅Ｗ１（図１）と同じ幅であって、調整膨出面部５１が第３のアダプタ部４の角調整部４１と連続して形成されている。第４のアダプタ部５は、図１２に示すように背面側（図１０右側）に膨出された第２のアダプタ部３の膨出面部３１と兼用し、上下に位置している調整膨出面部５１が膨出面部の一部を形成している。第４のアダプタ部５は、後述するが、図１３に示すように水平断面がほぼ半円形のダミー体Ｄ３内に嵌め込んでダミー体の位置保持をするものである。
【００１３】
次にダミー体のホルダ用アダプタの使用法について説明する。
ボトル型であって角形のダミー体Ｄ１を保持する場合について説明する。
アダプタ本体１を図１に示す状態の位置から、図２及び図１４（ａ）に示すように、ダミー体Ｄ１内に向けて第１のアダプタ部２の中央の中央面部２１を対向させ、アダプタ本体を矢印方向に移動させて、ダミー体Ｄ１内に嵌め込ませる。この状態で、図１４（ｂ）に示すように、保持ばねＨでアダプタ本体を抱き込むようにしながら保持ばね先端側でダミー体の外側を挟む。この結果、ダミー体Ｄ１は陳列部Ｓにアダプタ本体を介して保持ばねＨにより固定される。
アダプタ本体１の第１のアダプタ部２には角調整部２２が設けられているから、角形のダミー体Ｄ１内に密着した状態で第１のアダプタ部の前部分が納まり、固定状態が安定する。
【００１４】
次に、ダミー体Ｄ１よりも幅があるいわゆる「太い」半円形のダミー体Ｄ２を保持する場合について説明する。
アダプタ本体１を図１に示す位置から１８０度水平回転させて図１１に示す状態にする。そしてこの位置から、図１５（ａ）に示すように、ダミー体Ｄ２内に向けて第２のアダプタ部３の膨出面部３１を対向させ、アダプタ本体を矢印方向に移動させて、ダミー体Ｄ２内に嵌め込ませる。この状態で、図１５（ｂ）に示すように、保持ばねＨでアダプタ本体１を抱き込むようにしながら保持ばね先端側でダミー体Ｄ２の外側を挟む。この結果、ダミー体Ｄ２は陳列部Ｓにアダプタ本体を介して保持ばねＨにより固定される。
アダプタ本体１の第２のアダプタ部３には平面円弧状の膨出面部３１が設けられているから、半円形のダミー体Ｄ２内に密着した状態で第２のアダプタ部の前部分が納まり、ダミー体は安定した状態で固定される。
【００１５】
またダミー体Ｄ３よりも幅の狭いいわゆる「細い」角形のダミー体Ｄ４を保持する場合について説明する。
アダプタ本体１を図１に示す位置から９０度反時計方向回転させて図９に示す状態にする。そしてこの位置から、図１２に示すように、ダミー体Ｄ４内に向けて第３のアダプタ部４の中央面部２１を対向させ、アダプタ本体を図下方向に移動させて、ダミー体Ｄ４内に嵌め込ませる。この状態で、保持ばねでアダプタ本体を抱き込むようにしながら保持ばね先端側でダミー体の外側を挟む。この結果、ダミー体Ｄ４は陳列部（図示せず。）にアダプタ本体を介して保持ばね（図示せず。）により固定される。
アダプタ本体１の第３のアダプタ部４には角調整部４１が設けられているから、角形のダミー体Ｄ４内に密着した状態で第３のアダプタ部の前部分が納まり、安定した固定状態を得ることができる。
【００１６】
さらに角形のダミー体Ｄ２よりも幅がありかつ半円形のダミー体Ｄ３を保持する場合について説明する。
アダプタ本体１を図９に示す位置から１８０度水平回転させて図１３に示す状態にする。そしてこの位置から、図１６（ａ）に示すように、ダミー体Ｄ３内に向けて第４のアダプタ部５の膨出面部３１を対向させ、アダプタ本体を矢印方向に移動させて、ダミー体Ｄ３内に嵌め込ませる。この状態で、図１６（ｂ）に示すように、保持ばねＨでアダプタ本体を抱き込むようにしながら保持ばね先端側でダミー体の外側を挟む。この結果、ダミー体Ｄ３は陳列部Ｓにアダプタ本体を介して保持ばねＨにより固定される。
アダプタ本体１の第４のアダプタ部５には平面円弧状の膨出面部３１が設けられているから、半円形のダミー体Ｄ３内に密着した状態で第４のアダプタ部の前部分が納まり、ダミー体は安定した状態で固定される。
【００１７】
本発明に係るアダプタにおいて、図示するアダプタ本体１には４種類のアダプタ部２，３，４，５を設けているが、少なくとも２種類、例えば第１のアダプタ部２及び第２のアダプタ部３、第１のアダプタ部２及び第３のアダプタ部４、第２のアダプタ部３及び第４のアダプタ部５を設けているものであっても良く、また第１、第２及び第３のアダプタ部２，３，４、第１、第３及び第４のアダプタ部２，４，５などの３種類であっても良く、常に４種類である必要はない。
またアダプタ本体１の形状は柱状などであっても良いが、図示するようにほぼ直方体状のブロック形であれば、材料の節減や取扱いが容易となるなどの利点がある。
【図面の簡単な説明】
【００１８】
【図１】本発明の第一実施の形態に係るホルダ用アダプタの正面図である。
【図２】本発明の第一実施の形態に係るホルダ用アダプタの平面図である。
【図３】本発明の第一実施の形態に係るホルダ用アダプタの背面図である。
【図４】本発明の第一実施の形態に係るホルダ用アダプタの側面図である。
【図５】図１のＶ−Ｖ線拡大断面図である。
【図６】図１のＶＩ−ＶＩ線断面図である。
【図７】図４のＶＩＩ−ＶＩＩ線断面図である。
【図８】図２のＶＩＩＩ−ＶＩＩＩ線断面図である。
【図９】ホルダ用アダプタを反時計方向に９０度回転させた状態を示す正面図である。
【図１０】図９の側面図である。
【図１１】ホルダ用アダプタの第２のアダプタ部とダミー体との関係を示す平面図である。
【図１２】ホルダ用アダプタの第３のアダプタ部とダミー体との関係を示す平面図である。
【図１３】ホルダ用アダプタの第４のアダプタ部とダミー体との関係を示す平面図である。
【図１４】図（ａ），（ｂ）は、ホルダ用アダプタの第１のアダプタ部の使用過程を示す側面図である。
【図１５】図（ａ），（ｂ）は、ホルダ用アダプタの第２のアダプタ部の使用過程を示す側面図である。
【図１６】図（ａ），（ｂ）は、ホルダ用アダプタの第４のアダプタ部の使用過程を示す側面図である。
【図１７】図（Ａ），（Ｂ），（Ｃ）は、従来例のダミー体の種類をそれぞれ示し、（ａ），（ｂ），（ｃ）は正面図及び側面図である。
【符号の説明】
【００１９】
１                      アダプタ本体
２                      第１のアダプタ部（アダプタ部）
２１                    中央面部
２２                    角調整部
３                      第２のアダプタ部（アダプタ部）
３１                    膨出面部
４                      第３のアダプタ部（アダプタ部）
４１                    角調整部
５                      第４のアダプタ部（アダプタ部）
５１                    調整膨出面部
Ｄ１，Ｄ２，Ｄ３，Ｄ４  ダミー体
Ｗ１，Ｗ２              幅
【図１】
2005339125.tif 000003
【図２】
2005339125.tif 000004
【図３】
2005339125.tif 000005
【図４】
2005339125.tif 000006
【図５】
2005339125.tif 000007
【図６】
2005339125.tif 000008
【図７】
2005339125.tif 000009
【図８】
2005339125.tif 000010
【図９】
2005339125.tif 000011
【図１０】
2005339125.tif 000012
【図１１】
2005339125.tif 000013
【図１２】
2005339125.tif 000014
【図１３】
2005339125.tif 000015
【図１４】
2005339125.tif 000016
【図１５】
2005339125.tif 000017
【図１６】
2005339125.tif 000018
【図１７】
2005339125.tif 000019